(57)【要約】【課題】受信時に電子メールの内容を簡易的に類推できなかった。また、無駄な音声による通知が多かった。【解決手段】電子メールの作成処理と送信処理と受信処理と受信した電子メールの情報を音声にて読み上げる処理とを実行可能である通信装置において、受信した電子メールに含まれる情報のうち電子メール内において読み上げの対象として指定されている件名情報を抽出するとともに、抽出した件名情報が読み上げ対象外の件名として予め規定したものに該当するか否か判別する判別手段と、上記判別手段によって該当しないと判別された場合にのみ、上記件名情報を音声にて読み上げる読み上げ手段とを備えるとした。【選択図】図４
2008165592.tif 000002
【特許請求の範囲】
【請求項１】
電子メールの作成処理と送信処理と受信処理と受信した電子メールの情報を音声にて読み上げる処理とを実行可能である携帯電話機において、
電子メールを受信した場合には、電子メールの送信元のアドレスが読み上げ処理の対象の送信元として予め登録したアドレスと一致するか否か判別し、一致したことを条件に、上記受信した電子メールを構成するデータ領域のうち音声による読み上げの対象となる件名情報を格納するための特定領域に記録された件名情報が、無題とアルファベットのみからなる文字と予め登録した挨拶言葉とのいずれかに該当するか否か判別し、該当しないと判別した場合には当該件名情報を音声にて読み上げ、該当すると判別した場合には上記受信した電子メールの送信者名と本文との一方または両方を音声にて読み上げ、
電子メールを作成する場合には、本体表面に設けた画面に送信先入力欄と、件名入力欄と、送信先の他の通信装置による読み上げの対象となる件名情報を入力するための特定入力欄を有効化するアイコンと、添付ファイル入力欄と、本文入力欄とを表示するとともに、外部入力を受け付けるために本体表面に設けた押ボタンの押し下げ操作に基づいて上記アイコンが選択された場合には画面に上記特定入力欄をさらに表示し、押しボタンの押し下げ操作に応じて件名入力欄に文字が入力された場合には当該文字の読みを特定入力欄に表示し、かつ、押しボタンの押し下げ操作に応じて特定入力欄に対する入力があった場合には当該入力に応じて特定入力欄における表示内容を変更することを特徴とする携帯電話機。
【請求項２】
電子メールの作成処理と送信処理と受信処理と受信した電子メールの情報を音声にて読み上げる処理とを実行可能である通信装置において、
受信した電子メールに含まれる情報のうち電子メール内において読み上げの対象として指定されている件名情報を抽出するとともに、抽出した件名情報が読み上げ対象外の件名として予め規定したものに該当するか否か判別する判別手段と、
上記判別手段によって該当しないと判別された場合にのみ、上記件名情報を音声にて読み上げる読み上げ手段とを備えることを特徴とする通信装置。
【請求項３】
上記判別手段は、上記件名情報が少なくとも無題とアルファベットのみからなる文字と予め登録した挨拶言葉とのいずれかに該当する場合には読み上げ対象外の件名であると判別することを特徴とする請求項２に記載の通信装置。
【請求項４】
上記判別手段は、上記受信した電子メールの送信元のアドレスが読み上げ処理の対象の送信元として予め登録したアドレスと一致するか否か判別し、一致しないと判別した場合には、読み上げ手段は上記読み上げを行なわないことを特徴とする請求項２または請求項３のいずれかに記載の通信装置。
【請求項５】
送信対象の電子メールの作成のための操作を受け付ける受付手段と、所定の画面に複数の入力欄を表示するとともに上記受け付けた操作によって入力された文字を入力欄内に表示する表示手段とを備え、表示手段は、電子メールの件名を入力するための件名入力欄に入力された文字の読みを、送信先の他の通信装置による読み上げの対象となる件名情報を表示するための特定入力欄に表示させることを特徴とする請求項２〜請求項４のいずかに記載の通信装置。
【請求項６】
上記表示手段は、画面に件名入力欄と特定入力欄を有効化するためのアイコンとを表示し、受付手段を介して当該アイコンが選択された場合には、特定入力欄を画面に表示するとともに件名入力欄に入力された文字の読みを特定入力欄に表示し、かつ、受付手段を介して受け付けた特定入力欄に対する入力に応じて特定入力欄における表示内容を変更することを特徴とする請求項５に記載の通信装置。
【発明の詳細な説明】
【技術分野】
【０００１】
本発明は、電子メールの送受信機能を備えた携帯電話機および通信装置に関する。
【背景技術】
【０００２】
従来より、受信した電子メールの内容を音声によって読み上げて報知する携帯電話機が知られている（特許文献１参照。）。
また、文字メールの情報をテキストデータにして、音声にて出力する視覚障害者用携帯電話装置や（特許文献２参照。）、受信した電子メールに対応する名称とその電子メールの本文を読み出す技術（特許文献３参照。）が知られている。
さらに、メール読み上げ機能を有した電話機において、メールの送信者の音声でメールを読み上げる電話機や（特許文献４参照。）、音声出力識別子の付いた文字メール情報を受信した場合に、この文字メール情報の内容をテキスト解析して音声により出力する携帯電話装置（特許文献５参照。）が知られている。
【特許文献１】特開２００１‐３３１４１９号公報
【特許文献２】特開２００１‐２０３８１７号公報
【特許文献３】特開２００５‐４３９６８号公報
【特許文献４】特開２００４‐３０４６２５号公報
【特許文献５】特開２００１‐２０３８１８号公報
【発明の開示】
【発明が解決しようとする課題】
【０００３】
ユーザは、携帯電話機などの通信装置にて電子メールを受信しても、その時の状況（例えば自動車の運転中や、料理中などといった状況）によっては、受信した電子メールをすぐには見ることができない場合もある。この場合、受信した電子メールの内容を通信装置が音声で読み上げてやれば便利である。
【０００４】
しかし受信メールを読むことができない状況においては、ユーザは基本的に電子メール以外の事柄（上記運転や料理など）に集中している。そのため、電子メールの内容がそのまま音声にて読み上げられても、その内容を正確に把握できないことも多く、却ってユーザを混乱させてしまうという弊害があった。また、ユーザは、受信した電子メールをすぐに読めない状況においては、そのメールが早急に読むべき性質のものであるか、急いで読む必要が無い性質のものであるかを簡易的に判断したいと望むことがある。
また、電子メールを送信する側のユーザの立場では、通常のフォーマットに従って電子メールを作成して送信するだけでは、送信先で読み上げられる内容を正確に把握し難いという問題もあった。
【０００５】
本発明は、上記課題に鑑みてなされたもので、受信時においては電子メールの内容を音声にて簡易的に類推でき、また、送信時においては、送信先で音声にて読み上げられ得る内容を正確に把握することが可能な携帯電話機および通信装置を提供することを目的とする。
【課題を解決するための手段】
【０００６】
上記目的を達成するために、本発明の通信装置は、電子メールの作成処理と送信処理と受信処理と受信した電子メールの情報を音声にて読み上げる処理とを実行可能である。
ここで、判別手段は、受信した電子メールに含まれる情報のうち電子メール内において読み上げの対象として指定されている件名情報を抽出し、件名情報が読み上げ対象外の件名として予め規定したものに該当するか否か判別する。そして、読み上げ手段は、判別手段によって該当しないと判別された場合にのみ、上記件名情報を音声にて読み上げる。
つまり本発明によれば、受信した電子メールに含まれる情報のうち件名情報を、これが読み上げ対象外の件名として予め規定したものでない場合に音声にて読み上げるので、ユーザはかかる読み上げを耳にすることで電子メールの内容を簡易的に類推することができる。
【０００７】
判別手段は、件名情報が、少なくとも無題とアルファベットのみからなる文字と予め登録した挨拶言葉とのいずれかに該当する場合には読み上げ対象外の件名であると判別する。つまり、件名情報が示す内容が、無題であったり、単なる返信を表す“Ｒｅ”等であったり、“おはよう”などの挨拶言葉である等、全く或いは殆ど意味を持たない場合は、これらを読み上げても電子メールの内容をうまく類推できない。つまり、件名情報がわざわざ読み上げる価値の無いものである場合は読み上げは行なわず、むやみにユーザに音声情報を届けてしまうことを防止している。
なお、判別手段によって該当すると判別された場合には、読み上げ手段は、上記受信した電子メールの送信者名と本文との一方または両方を音声にて読み上げるとしてもよい。つまり、受信した電子メールの件名情報がある程度意味を持つような内容であればそれを読み上げるし、全く或いは殆ど意味を持たない場合は、送信者名などを読み上げるため、いずれにしてもユーザは受信したメールの重要度や内容を類推できる。
【０００８】
また、判別手段は、受信した電子メールの送信元のアドレスが読み上げ処理の対象の送信元として予め登録したアドレスと一致するか否か判別し、一致しないと判別した場合には、読み上げ手段は上記読み上げを行なわないとしてもよい。
つまり、件名情報などの読み上げ処理を行なう対象の送信元を限定することで、ユーザにとって重要な相手からの電子メールのみを音声による読み上げ対象とすることができる。
【０００９】
さらに通信装置は、送信対象の電子メールの作成のための操作を受け付ける受付手段と、所定の画面に複数の入力欄を表示するとともに上記受け付けた操作によって入力された文字を入力欄内に表示する表示手段とを備える。ここで、表示手段は、電子メールの件名を入力するための件名入力欄に入力された文字の読みを、送信先の他の通信装置による読み上げの対象となる件名情報を表示するための特定入力欄に表示させる。
つまり本発明によれば、件名入力欄に件名を入力すれば、当該件名の読みが自動的に特定入力欄に表示されるため、送信先において音声による読み上げ対象となり得る言葉の読みを正確に把握することができる。
【００１０】
より具体的には、表示手段は、画面に件名入力欄と特定入力欄を有効化するためのアイコンとを表示し、受付手段を介して当該アイコンが選択された場合には、特定入力欄を画面に表示する。そして、表示手段は、件名入力欄に入力された文字の読みを特定入力欄に表示し、かつ、受付手段を介して特定入力欄に対する入力を受け付けた場合には、この入力に応じて特定入力欄における表示内容を変更する。
つまり当該構成によれば、メール作成画面の所定位置に表示された上記アイコンを選択することで特定入力欄が画面に現れ、件名入力欄に入力した件名の読みが自動的に特定入力欄に表示されるとともに、この特定入力欄内の文字を編集することができる。従って、電子メールを作成・送信するユーザは、件名入力欄に入力した件名のそのままの読み仮名を送信先に読み上げさせることもできるし、件名入力欄に入力した件名とは異なる言葉を送信先に読み上げさせることもできる。
【００１１】
上記各構成を踏まえて、電子メールの作成処理と送信処理と受信処理と受信した電子メールの情報を音声にて読み上げる処理とを実行可能である携帯電話機において、
電子メールを受信した場合には、電子メールの送信元のアドレスが読み上げ処理の対象の送信元として予め登録したアドレスと一致するか否か判別し、一致したことを条件に、上記受信した電子メールを構成するデータ領域のうち音声による読み上げの対象となる件名情報を格納するための特定領域に記録された件名情報が、無題とアルファベットのみからなる文字と予め登録した挨拶言葉とのいずれかに該当するか否か判別し、該当しないと判別した場合には当該件名情報を音声にて読み上げ、該当すると判別した場合には上記受信した電子メールの送信者名と本文との一方または両方を音声にて読み上げ、
電子メールを作成する場合には、本体表面に設けた画面に送信先入力欄と、件名入力欄と、送信先の他の通信装置による読み上げの対象となる件名情報を入力するための特定入力欄を有効化するアイコンと、添付ファイル入力欄と、本文入力欄とを表示するとともに、外部入力を受け付けるために本体表面に設けた押ボタンの押し下げ操作に基づいて上記アイコンが選択された場合には画面に上記特定入力欄をさらに表示し、押しボタンの押し下げ操作に応じて件名入力欄に文字が入力された場合には当該文字の読みを特定入力欄に表示し、かつ、押しボタンの押し下げ操作に応じて特定入力欄に対する入力があった場合には当該入力に応じて特定入力欄における表示内容を変更する構成を把握することができる。
つまり、携帯電話機という具体的製品においても、上記各通信装置と同様の作用および効果を発揮する。
むろん、上記各通信装置や携帯電話機が実現する処理をＣＰＵなどのコンピュータに実行させる通信用プログラムの発明をも把握できることは言うまでもない。
【発明を実施するための最良の形態】
【００１２】
以下に本発明の一実施形態を説明する。
図１は、通信装置の概略構成をブロック図により示している。より具体的には、通信装置は携帯電話機である。
携帯電話機１００は、携帯電話機１００のシステムを統括制御する制御部１０を備える。制御部１０はＣＰＵ１１とＲＡＭ１２とＲＯＭ１３とからなる。
通信制御部２０は、アンテナや変復調部（モデム）からなり、アンテナを介し、外部に対する通信データの送信及び外部からの通信データの受信を行う。通信データとしては、音声データや電子メールにかかるデータがある。つまり、携帯電話機１００は、公知の通信プロトコルに従うことにより、他の通信装置との間でサーバを介して電子メールの送受信を行うことができる。
【００１３】
音声合成処理部３０は、電子メールに含まれるテキストデータを基に音声合成を行って、テキストデータを音声信号化する。スピーカ４０は、音声合成処理部３０から送られた音声信号に基づいて音声を出力する。
表示部５０は、液晶パネル等からなる画面を備える表示装置であり、電子メールの内容の表示を始めとしてユーザが携帯電話機１００を使用する際の各種表示を行なう。操作部６０は、テンキーを始めとする各種押ボタンからなり、ユーザによる押し下げ操作を受け付ける。制御部１０は、システムバス７０を介して通信制御部２０、音声合成処理部３０、スピーカ４０、表示部５０、操作部６０と接続している。操作部６０を構成する各押ボタンに対する押し下げ操作は制御部１０によって検知され、制御部１０は検知した押し下げ操作に応じて所定の処理や各部に対する命令を実行する。
【００１４】
むろん携帯電話機１００は上述した以外にも、通常の通話機能の他、公知の携帯電話機が持つ各種機能を備えることが可能である。
このように携帯電話機１００は、一般の携帯電話機と同様に電子メールの作成・送信処理および電子メールの受信処理を実行可能であるが、以下では、本発明において特徴的な部分を中心に説明する。先ず、電子メールの作成・送信処理について説明する。
【００１５】
図２は、表示部５０に表示した電子メール作成用画面の一例を示している。
制御部１０は、電子メールを作成すべき旨の指示を操作部６０を介して受けたら、図に示すような電子メール作成用画面５１を表示部５０に表示させる。
電子メール作成用画面５１は、送信先入力欄５１ａと、件名入力欄５１ｂと、送信先の他の通信装置による読み上げの対象となる件名情報を表示するための特定入力欄を有効化するアイコン５１ｃと、添付ファイル入力欄５１ｄと、本文入力欄５１ｅとからなる。
【００１６】
ユーザは操作部６０の各押ボタンを押し下げ操作することにより、送信先入力欄５１ａには送信先のメールアドレスを入力し、件名入力欄５１ｂには件名を入力し、添付ファイル入力欄５１ｄには所定の添付ファイルを入力し、本文入力欄５１ｅには電子メールの本文を入力することが可能である。制御部１０は表示部５０を制御して、各欄に対して入力された文字等を各欄に表示させる。携帯電話機１００は、いわゆるアドレス帳をＲＯＭ１３に記録している。アドレス帳はメールアドレスとメールアドレスについての各種情報（名称、属性、電話番号など）との対応関係を複数のメールアドレスについて記録したデータである。従ってユーザは、操作部６０を操作して送信先入力欄５１ａに送信先のメールアドレスを直接入力してもよいし、アドレス帳から任意に送信先を選択し、制御部１０はこの選択された送信先に対応するメールアドレスや名称を送信先入力欄５１ａに表示させるようにしてもよい。
【００１７】
本実施形態では、件名入力欄５１ｂの隣にアイコン５１ｃを表示している。操作部６０を介してアイコン５１ｃを選択する操作を受け付けた場合には、制御部１０は表示部５０に指令を出して、画面の所定位置に件名ボイス欄（特定入力欄）５１ｆを表示させる。
図３は、件名ボイス欄５１ｆを表示した場合の電子メール作成用画面５１を示している。表示部５０はアイコン５１ｃが選択されたことを条件に、例えば、件名入力欄５１ｂと添付ファイル入力欄５１ｄとの間に件名ボイス欄５１ｆを表示する。
【００１８】
表示部５０は、件名ボイス欄５１ｆを表示した場合、件名入力欄５１ｂに入力された文字の読みを片仮名表記にて件名ボイス欄５１ｆに表示する。なお、件名入力欄５１ｂに入力された言葉が日本語である場合にはその読みを片仮名表記にて表示するが、件名入力欄５１ｂに入力された言葉がアルファベットである場合にはそのアルファベットをそのまま件名ボイス欄５１ｆに表示する。以下では、件名ボイス欄５１ｆに表示した情報を件名情報と呼ぶ。
【００１９】
例えば、操作部６０の操作によって件名入力欄５１ｂに“本日の件”と入力された場合、制御部１０はこの入力された文字の読み仮名を片仮名表記にて件名ボイス欄５１ｆに表示することを表示部５０に命令し、その結果、表示部５０は件名ボイス欄５１ｆに“ホンジツノケン”と表示する。このように件名ボイス欄５１ｆに表示した文字は、電子メールの受信先の通信装置において音声による読み上げ対象の候補となる。
【００２０】
また、件名ボイス欄５１ｆは編集の対象となる。ユーザが操作部６０の操作によって件名ボイス欄５１ｆを選択した場合には、制御部１０は件名ボイス欄５１ｆに対する文字入力を許容し、操作部６０の操作によって任意に入力された文字を表示部５０によって件名ボイス欄５１ｆに表示させる。
なお上記説明では、件名ボイス欄５１ｆはアイコン５１ｃが選択された場合に画面に表示するとしたが、アイコン５１ｃの表示は無くし、電子メール作成用画面５１に始めから件名ボイス欄５１ｆを表示するようにしてもよい。
【００２１】
上記のような電子メール作成用画面５１に対する入力に基づいて、制御部１０は電子メールを作成する。制御部１０は電子メールを所定のフォーマット（データ形式）に基づいて作成する。電子メールのフォーマットはヘッダ部分と本体部分とに分けて構成される。ヘッダ部分には、送信者の名前や、送信先のメールアドレス、件名などの情報を格納する。また本実施形態では、件名ボイス欄５１ｆに表示した件名情報もテキストデータとしてヘッダ部分の特定領域に格納する。本体部分には電子メールの本文と、添付ファイルが有る場合には添付ファイルとを格納する。制御部１０は、作成した電子メールの送信指示を操作部６０を介して入力した場合には、通信制御部２０を制御することにより、当該作成した電子メールを上記送信先のメールアドレスに対して送信させる。
【００２２】
次に、携帯電話機１００にて電子メールを受信したときの処理について説明する。本実施形態では、電子メールを受信した時に、その件名情報を音声によって読み上げる処理を以下のように行なう。
図４は、携帯電話機１００が外部から電子メールを受信したときの処理の一部を示したフローチャートである。制御部１０は、通信制御部２０を介して電子メールを受信したか否かを監視しており、受信を検知した場合にはステップＳ（以下、ステップの記載は省略）２１０以下の処理に進む（Ｓ２００）。
Ｓ２１０では、制御部１０は、上記受信した電子メールのヘッダ部分におけるデータ領域であって、件名ボイス欄５１ｆに表示した件名情報を格納するための上記特定領域からデータを抽出する。
【００２３】
Ｓ２２０では、上記抽出の結果に基づいて、上記受信した電子メールの件名情報が読み上げ対象外の件名であるか否か判別する。
制御部１０は、特定領域に何も記録されていない場合、すなわち件名情報が無い（無題）である場合には読み上げ対象外の件名であると判断する。件名情報が無題となる状況としては、元々件名入力欄５１ｂに件名が入力されておらず、その結果、件名ボイス欄５１ｆにも何も入力されない場合と、件名入力欄５１ｂには何らかの件名が入力されたが、送信側のユーザの操作によって件名ボイス欄５１ｆへの入力が、有効化されず或いは消去された場合とが考えられる。
【００２４】
また制御部１０は、特定領域から抽出した件名情報がアルファベットのみからなる文字である場合にも読み上げ対象外の件名と判断する。例えば、件名情報が単なる返信を表す“Ｒｅ”のみである場合には、これを音声で読み上げてもユーザはメール本文の内容を類推できないため、読み上げ対象外とする。
また制御部１０は、特定領域から抽出した件名情報が、予めＲＯＭ１３に登録した挨拶言葉のいずれかに該当する場合にも、読み上げ対象外の件名と判断する。例えば件名情報が“オハヨウ”や“コンニチワ”や“オツカレサマ”等の挨拶言葉である場合には、これを音声で読み上げてもメール本文の内容を把握することは難しいため、読み上げ対象外とする。
【００２５】
上記抽出した件名情報が読み上げ対象外の件名に該当しなかった場合には、制御部１０は、その件名情報にかかる文字を音声によって読み上げさせる処理を実行する（Ｓ２６０）。具体的には、上記特定領域に格納されているテキストデータを音声合成処理部３０に出力するとともに、音声合成処理部３０に当該テキストデータに基づく音声信号の生成処理を実行させ、スピーカ４０から音声合成処理部３０が生成した音声信号に基づいた音声を出力させる。この結果、例えば受信した電子メールのヘッダ部分の特定領域に“ホンジツノウチアワセニツイテ”という件名情報が格納されていた場合には、メールの受信とほぼ同時に“ホンジツノウチアワセニツイテ”という言葉が読み上げられ、受信側のユーザの耳に入る。
【００２６】
一方、上記抽出した件名情報が読み上げ対象外の件名に該当した場合には、制御部１０は、件名ボイス欄５１ｆに入力された情報以外の情報にかかる文字を音声によって読み上げさせる処理を実行する。
具体的には、制御部１０はＳ２３０において、受信した電子メールの送信元のメールアドレスに対応する名称が上記アドレス帳に登録済みであるか否か判断する。登録されている場合には、上記対応する名称をアドレス帳から読み出し、当該名称に対応するテキストデータを音声合成処理部３０に出力し、音声合成処理部３０に当該テキストデータに基づく音声信号の生成を実行させ、スピーカ４０から音声合成処理部３０が生成した音声信号に基づいた音声を出力させる（Ｓ２５０）。
【００２７】
上記Ｓ２３０において“Ｎｏ”の判断をした場合には、制御部１０はＳ２４０において、受信した電子メールの本文にかかるテキストデータを音声合成処理部３０に出力し、音声合成処理部３０に当該テキストデータに基づく音声信号の生成を実行させ、スピーカ４０から音声合成処理部３０が生成した音声信号に基づいた音声を出力させる。
ただし、Ｓ２３０で“Ｙｅｓ”の判断をした場合には、名称と本文との両方を読み上げるようにしてもよい。
【００２８】
上記フローチャートでは省略しているが、受信した電子メールは携帯電話機１０が備える所定の記録媒体（ＲＯＭ１３であっても別の記録媒体であってもよい。）内に確保された受信フォルダに保存され、ユーザは所望のタイミングで操作部６０を操作することにより当該保存された電子メールを画面上にて閲覧できることは言うまでもない。
また、上記フローチャートでは、件名情報が読み上げ対象外の件名である場合にはＳ２３０〜２５０の処理を実行するとしたが、これらの処理は必須ではなく、Ｓ２２０で“Ｙｅｓ”の判断をした場合にはＳ２３０〜２５０の処理を行なうこと無く当該フローチャートを終了してもよい。つまり、受信した電子メールに含まれる件名情報が読み上げ対象外の件名でないときだけ、音声による読み上げ処理を行なうとしてもよい。
【００２９】
このように本発明の通信装置によれば、電子メールを受信したとき、当該電子メールにおける、送信元の通信装置によって件名ボイス欄５１ｆに表示された件名情報を格納するための特定領域に記録された件名情報が、所定の読み上げ対象外の件名に該当しない場合に、この件名情報である文字を音声に変換して着信音代わりに読み上げるとした。その結果、受信した電子メールの本文の内容がある程度類推できるような件名だけが読み上げられることとなり、ユーザは、そのメールが早急に読むべき性質のものであるか、急いで読む必要が無い性質のものであるかを簡易的に判断することができる。また、メール本文の類推の助けとならないような件名が読み上げられることが排除されるため、ユーザを混乱させることが無くなる。
【００３０】
また、送信する電子メールを作成するときには、送信先の通信装置によって読み上げられる言葉の読みが件名ボイス欄５１ｆに表示されるため、送信先において実際にどのような発音で件名が読まれるかを送信側のユーザは確実に把握することができる。また、件名ボイス欄５１ｆ自体を編集できるため、件名入力欄５１ｂに入力した言葉とは別に、送信先において読み上げさせたい言葉を自由に設定することができる。
【００３１】
さらに、通信装置は受信した電子メールについて上記読み上げ処理を行なうか否かを、送信元のメールアドレスに応じて分岐するようにしてもよい。
具体的には、まず制御部１０は、ユーザによる操作部６０に対する操作に基づいて、上記アドレス帳に登録したメールアドレスのうち、音声による読み上げ処理の対象としたメールアドレスに特定のフラグを付す処理を行なう。そして上記Ｓ２００で“Ｙｅｓ”の判断をした場合、Ｓ２１０の処理を行なう前に、受信した電子メールの送信元のメールアドレスが、アドレス帳に登録されたメールアドレスであって上記特定のフラグを付したものの何れかと一致するか否か判別し、一致する場合にＳ２１０の処理に移り、何れのものとも一致しない場合は上記フローチャートを終了する。つまり、メールを受信したときに、その件名情報などを音声にて読み上げる価値の有る送信元として予めユーザが認めた送信元からの電子メールのみを上記読み上げ処理の対象とする。その結果、上記読み上げ処理を乱発することによるユーザの不快感や混乱を無くすことができる。
【図面の簡単な説明】
【００３２】
【図１】通信装置の概略構成を示したブロック図。
【図２】電子メール作成用画面の一例を示した図。
【図３】電子メール作成用画面の一例を示した図。
【図４】電子メールを受信したときの処理の一部を示したフローチャート。
【符号の説明】
【００３３】
１０…制御部
２０…通信制御部
３０…音声合成処理部
４０…スピーカ
５０…表示部
５１…電子メール作成用画面
５１ａ…送信先入力欄
５１ｂ…件名入力欄
５１ｃ…アイコン
５１ｄ…添付ファイル入力欄
５１ｅ…本文入力欄
５１ｆ…件名ボイス欄
６０…操作部
１００…携帯電話機
【図１】
2008165592.tif 000003
【図２】
2008165592.tif 000004
【図３】
2008165592.tif 000005
【図４】
2008165592.tif 000006